(57)【要約】【課題】  鞄をよくもち歩く人は、手の腱鞘炎に悩んでいることも多い。【解決手段】  鞄本体１０に補助材１２を固定し、把手１４を鞄の長手方向に対して垂直に取り付け、その一端を補助材１２に穿設された孔１８に係止する。鞄を運ぶとき、把手１４がこの方向にあるため、手にかかる負担を分散できることが医学的に判明した。【選択図】        図１
2004261588.tif 000002
【特許請求の範囲】
【請求項１】
把手を備えた鞄において、前記把手（１４，３０，５０，６０，１００，１１０，１１２，１２０，１２２，１３２，１３４，１４４，２００）を鞄の長手方向に対して概略垂直方向に配置させるとともに、前記把手の一部を鞄本体から取り外し可能に構成したことを特徴とする鞄。
【請求項２】
請求項１に記載の鞄において、前記把手（１４，２００）の一端を鞄本体に固定し、前記把手の他端に係止手段（２０，２０４）を設け、鞄本体における前記係止手段の対向位置に当該係止手段と係合する部材（１２，２０２）を設けたことを特徴とする鞄。
【請求項３】
請求項１に記載の鞄において、前記把手（３０）はＴ字乃至Ｙ字をなすよう鞄本体の一方の側面に対してふたつの端を、他方の側面に対してひとつの端（３２）を有し、少なくとも、このひとつの端（３２）の部分が鞄本体に対して着脱可能に構成されたことを特徴とする鞄。
【請求項４】
請求項１に記載の鞄において、前記把手（１００）の両端がそれぞれ鞄本体の両側面に配された継手（１０４，１０６）に固定され、少なくとも、前記継手（１０４，１０６）のひとつが鞄本体に対して着脱可能に構成されたことを特徴とする鞄。
【請求項５】
請求項１に記載の鞄において、前記把手（１１０，１１２，１２０，１２２）はX字乃至H字をなすよう鞄本体の両側面に対してそれぞれふたつの端を有し、少なくとも、いずれかの側面に配されたふたつの端が鞄本体に対して着脱可能に構成されたことを特徴とする鞄。
【請求項６】
把手を備えた鞄において、前記把手（５０，６０，１３２，１３４，１４４）を鞄の長手方向に対して概略垂直方向に配置させるとともに、前記把手によって開閉の操作性が損なわれない個所に鞄の開閉機構（５２，５４，５５，５６，１３０，１４０）を設けたことを特徴とする鞄。
【請求項７】
請求項６に記載の鞄において、前記把手（６０）は伸縮可能に鞄本体に埋設されていることを特徴とする鞄。
【請求項８】
請求項６に記載の鞄において、前記把手（６０）にはロック機構（６２）が設けられ、このロック機構によつて鞄を開けることが防止されることを特徴とする鞄。
【請求項９】
把手を備えた鞄において、把手（７０，１５０）を鞄の長手方向に対し、少なくとも概略垂直方向と概略水平方向の二方向において安定する機構（７２，１５２）によって鞄本体に固定したことを特徴とする鞄。
【請求項１０】
請求項９に記載の鞄において、前記機構（７２，１５２）は前記把手と鞄本体を緊着せしめる方向に付勢されており、ユーザがこの付勢力に抗して前記把手を引いたとき、前記二方向の間で回動可能に支持されていることを特徴とする鞄。
【請求項１１】
把手を備えた鞄において、前記把手（１９０）が軸受穴（１９４）をもつ取付部（１９２）によって鞄本体に取り付けられ、前記把手が前記軸受穴とを中心として可動に構成されたことを特徴とする鞄。
【請求項１２】
把手を備えた鞄において、前記把手（１６６，２１０，２１２）は第１連接材（１６４，２１４）および第２連接材（１６８，２１６）によって鞄の長手方向と概略水平に取り付けられるとともに、前記把手と前記第１連接材と前記第２連接材と鞄本体とはそれぞれ支点機構で連接され、利用者が前記把手を持って歩行したとき、歩行に応じて前記鞄本体が前後方向に可動とされたことを特徴とする鞄。
【請求項１３】
把手（３００）を備えた鞄において、前記把手は鞄の長手方向に対して概略４５度の角度をもって鞄本体に取り付けられていることを特徴とする鞄。
【請求項１４】
請求項１３に記載の鞄は右利きユーザ用の鞄であって、鞄を持ったユーザから見て、鞄の長手方向に対して反時計回り方向に概略４５度の角度を有して前記把手（３００）が配置されていることを特徴とする鞄。
【請求項１５】
請求項１３または１４に記載の鞄において、前記把手（３００）は鞄本体の長手方向に対する両側面にそれぞれ固定された取付機構（３０２，３０４，３０６，３０８）によって鞄本体に取り付けられ、前記把手（３００）の長さを、鞄本体の表面上において、鞄本体の上面のいずれかの短辺の両頂点を通ってこれら取付機構相互間を結んだ道のりの長さよりも長くして、鞄開閉時に、前記取付機構（３０２，３０４，３０６，３０８）を支点に前記把手（３００）を鞄本体側方の退避位置まで回転動作することを可能にしたことにより、鞄の開閉の操作性が確保されることを特徴とする鞄。
【請求項１６】
把手（４００）を備えた鞄において、鞄本体の両側面に固定された複数の取付部材（４１０，４１２，４１４，４１６，４１８，４２０，４２２，４２４）を備え、前記把手（４００）の端部が、選択的に前記複数の取付部材（４１０，４１２，４１４，４１６，４１８，４２０，４２２，４２４）のうちの一部に着脱可能に取り付けられることを特徴とする鞄。
【請求項１７】
請求項１６に記載の鞄において、前記把手（４００）を鞄本体に取り付けたとき、前記把手が鞄の長手方向に対して概略垂直方向に配置されるよう、前記取付部材（４１０，４１２，４１４，４１６，４１８，４２０，４２２，４２４）のうちの一部が鞄本体の側面に固定される位置が定められることを特徴とする鞄。
【請求項１８】
請求項１６に記載の鞄において、前記把手（４００）を鞄本体に取り付けたとき、前記把手が鞄の長手方向に対して概略４５度の角度をもって配置されるよう、前記取付部材（４１０，４１２，４１４，４１６，４１８，４２０，４２２，４２４）のうちの一部が鞄本体の側面に固定される位置が定められることを特徴とする鞄。
【請求項１９】
請求項１から１８のいずれかに記載の鞄において、ユーザが前記把手を握ったとき、手のひらの略中央部分に当たる個所に小さな突起（２８）を形成したことを特徴とする鞄。
【発明の詳細な説明】
【技術分野】
【０００１】
この発明は鞄に関し、とくに、把手を備えた鞄に関する。
【背景技術】
【０００２】
日本人は無類の鞄好きといわれるごとく、個人が所有する鞄は多岐にわたり、また、日々新たなデザインの鞄が市場へ投入されている。そうしたものの中には、デザイン性と丈夫さを両立させているもの、十分な強度をもちながら非常に軽いもの、見た目よりも大きな収納性をもつものなど、いろいろな訴求点からユーザの気持ちを捉えるものがある。例えば特許文献１には、強靱な帯状の一対の把手を設けつつ、把持しやすい鞄の把手が開示されている。
【特許文献１】特許第３０２４１１８号公報
【発明の開示】
【発明が解決しようとする課題】
【０００３】
鞄を選択するポイントにはデザインも当然に含まれるが、実用物である以上、デザインと同等以上に機能面が重要である。従来、鞄の機能といえば、収納力や収容物の取り出し易さなどが中心であったが、最近では、人間工学という考え方も広まり、人のからだにどの程度やさしい製品であるかという観点が重視されつつある。鞄を多用する人の意見を聴くと、手首の痛みを訴える人が多いことに気づく。ある程度重い鞄を日々持ち歩く人の中には、程度の差こそあれ、手の腱鞘炎になっている人も多い。
【０００４】
本発明はこうした背景に鑑みてなされたものであり、その目的は、腱鞘炎になりにくい鞄を提供することにある。別の目的は、人のからだに優しい製品でありながら、デザイン面でも特徴のある鞄を提供することにある。
【課題を解決するための手段】
【０００５】
本発明の鞄は把手を備え、この把手を鞄の長手方向に対して概略垂直方向に配置させるとともに、把手の一部を鞄本体から取り外し可能に構成したものである。「鞄の長手方向」とは、人が鞄をもって歩く進行方向といってもよい。通常、把手は長手方向に平行に設けられているが、これを約９０°回転させて取り付ける。デザイン上も斬新さがある。ただし、この構造であると、鞄を開けるとき、両側へ開くべき部分に把手がブリッジしてしまうので、把手の一部を鞄本体から外れるようにし、操作性を確保する。把手をこの方向に取り付けることで手首によい影響があるが、これは後述する。
【０００６】
この鞄において、把手の一端を鞄本体に固定し、他端に係止手段を設け、鞄本体における係止手段の対向位置に係止手段と係合する環状その他の部材を設けてもよい。係止手段と相手側の部材が係合しているとき、前記の他端も鞄を支持する。鞄を開くとき、その他必要なとき、これらの部材の係合を解く。
【０００７】
把手として、Ｔ字乃至Ｙ字をなすよう鞄本体の一方の側面に対してふたつの端を、他方の側面に対してひとつの端を設け、少なくとも、このひとつの端の部分を鞄本体に対して着脱可能に構成してもよい。
【０００８】
把手は、鞄本体の両側面に配された継手に固定され、少なくとも、この継手のひとつを鞄本体に対して着脱可能に構成してもよい。
【０００９】
把手として、X字乃至H字をなすよう鞄本体の両側面に対してそれぞれふたつの端を設け、少なくとも、いずれかの側面に配されたふたつの端が鞄本体に対して着脱可能に構成してもよい。
【００１０】
本発明の別の態様も把手を備えた鞄であり、把手を鞄の長手方向に対して概略垂直方向に配置させるとともに、把手によって開閉の操作性が損なわれない個所、すなわち操作性が損なわれない位置または方向に、鞄の開閉機構を設けたものである。開閉機構の例は、ボタン、ホック、ファスナーなどである。この鞄でも把手の方向に工夫があり、腱鞘炎になりにくい。また、鞄の開閉の操作性が損なわれないから実用性も確保される。デザイン上も斬新さがある。
【００１１】
把手は、ある種の旅行鞄のように、伸縮可能に鞄本体に埋設されていてもよいし、把手にロック機構を設け、このロック機構によって鞄の開動作を防止してもよい。
【００１２】
本発明のさらに別の態様も把手を備えた鞄であり、把手を鞄の長手方向に対し、少なくとも略垂直方向と概略水平方向の二方向において安定する機構によって鞄本体に固定したものである。すなわち、把手の方向が９０°前後変化する。概略垂直方向だと手首への負担の面で有利であり、概略水平方向だと従来一般的な形態に近く、鞄を開けるときに従来一般的な開閉手段を利用できる。
【００１３】
この機構は把手と鞄本体を緊着せしめる方向に、ばねなどで鞄内部等にて付勢されており、ユーザがこの付勢力に抗して把手を引いたとき、二方向の間で回動可能に支持されていてもよい。この構造だと、把手の方向変更がたやすく、操作性が高い。
【００１４】
本発明のさらに別の態様も把手を備えた鞄であり、把手が軸受穴をもつ取付部によって鞄本体に取り付けられ、その把手が軸受穴を中心として可動に構成されている。これにより、運搬時の鞄の動きに応じて把手が回動するため、手首の一箇所に力が集中するのを防止することができ、手首の負担を軽減することが可能となる。
【００１５】
本発明のさらに別の態様も把手を備えた鞄であり、把手が第１連接材および第２連接材によって鞄の長手方向と概略水平に取り付けられる。把手、第１連接材、第２連接材および鞄本体は支点機構で連接されており、利用者が把手を持って歩行したとき、歩行に応じて鞄本体が前後方向に可動な構成となっている。これにより、把手が鞄との長手方向と概略水平であっても、手首の一箇所にのみかかるストレスを吸収することができ、手首の負担を軽減することが可能となる。
【００１６】
本発明のさらに別の態様も把手を備えた鞄であり、把手は鞄の長手方向に対して概略４５度の角度をもって鞄本体に取り付けられている。人間が腕を下ろしたとき、手のひらが身体の正中線に対して有する自然な角度に近い傾きを維持したまま把手を把持できるため、運搬時の鞄の持ち易さが確保される。
鞄の長手方向に対して概略４５度の角度をもって把手を配置することは、その他種々の効果を奏するが、これは後述する。
【００１７】
この鞄は右利きユーザ用の鞄であって、鞄を持ったユーザから見て、鞄の長手方向に対して反時計回り方向に概略４５度の角度を有して把手が配置されていることを特徴とする鞄であってもよい。把手の取り付け方向は、例えばユーザの利き腕に応じて決定されてもよく、ユーザから見て、鞄の長手方向に対して時計回り方向に概略４５度の角度をもって取り付け、左利きユーザ用の鞄としてもよい。右利きユーザ用と左利きユーザ用の鞄の２種類を用意できるため、ユーザの需要により的確に対応可能となる。
さらに、この鞄は、把手が鞄本体の長手方向に対する両側面にそれぞれ固定された取付機構によって鞄本体に取り付けられ、把手の長さを、鞄本体の表面上において、鞄本体の上面のいずれかの短辺の両頂点を通ってこれら取付機構相互間を結んだ道のりの長さよりも長くして、鞄開閉時に取付機構を支点に把手を鞄本位側方の退避位置まで回転動作することを可能にしたことにより、鞄の開閉の操作性が確保されることを特徴とする鞄であってもよい。
【００１８】
本発明のさらに別の態様も把手を備えた鞄であり、鞄本体の両側面に固定された複数の取付部材を備え、把手の端部が、選択的に前記複数の取付部材のうちの一部に着脱可能に取り付けられるものである。ユーザは把手の取付位置を選択して、自分にとって最も鞄を運搬し易い位置に把手を取り付けることができる。
【００１９】
この鞄において、把手を鞄本体に取り付けたとき、把手が鞄の長手方向に対して概略垂直方向に配置されるよう、取付部材のうちの一部が鞄本体の側面に固定される位置が定められてもよく、また、把手を鞄本体に取り付けたとき、把手が鞄の長手方向に対して概略４５度の角度をもって配置されるよう、取付部材のうちの一部が鞄本体の側面に固定されてもよい。
【００２０】
把手の取付方向が鞄の長手方向に対して概略垂直になる取付部材を選択して把手を鞄本体に取り付ければ、腱鞘炎の予防に特に効果があり、概略４５度となる取付部材を選択すれば、鞄の持ち易さが確保される。
【００２１】
以上のいずれかの鞄において、ユーザが把手を握ったとき、手のひらの略中央部分に当たる個所に小さな突起を形成可能としてもよい。この場合、この小突起による、いわゆる指圧効果を期待することができる。
【００２２】
以上のいずれかの鞄において、鞄本体と把手は独立性を高め、ユーザが把手を握っていても、鞄本体の前後方向の動きを大きく拘束しないことが望ましい。その場合、手首への悪影響をさらに低減することができる。
なお、以上の構成要素の任意の組み合わせもまた、本発明の態様として有効である。
【発明を実施するための最良の形態】
【００２３】
手の腱鞘炎患者の中に、鞄をもつ時間が比較的長い人たちがいる。このことは、鞄が人の手または手首にとって、最適な設計になっていないことを示唆している。これに関し、本発明者は鞄の把手と腱鞘炎にある関係が存在する知見を得た。
【００２４】
手の腱鞘炎で最も多いのは、デクエルバン病と呼ばれる病気である。この病気は、長母指外転筋腱と短母指伸筋腱が通るコンパートメントに過度なストレスがかかると発生する。従来一般的な鞄の把手、すなわち鞄の長手方向に平行に設けられた把手では、鞄の荷重をほぼ全面的にこのコンパートメントで受けてしまう。とくに、鞄を前後に振って歩くような場合、著しい負荷がこのコンパートメントにかかることがわかり、これが鞄に起因する腱鞘炎の主因であることがわかった。
【００２５】
実験の結果、腱鞘炎を避けるには、鞄をもったとき、医学的に「伸展」と呼ばれる手関節の背屈運動が実現する把手へ変更すればよいことが判明した。こうすれば、鞄の荷重を手に存在する４つのコンパートメントに分散させることができ、前述のひとつのコンパートメントに生じるストレスを大幅に軽減することができる。そのための把手の構造が、「鞄の長手方向に対し、ねじれの位置、特に概略垂直の方向に、かつ鞄本体と独立して自由に動く余地の大きな構造」であることが判明した。実験によれば、この構造の把手では、従来の把手に比べ、前述のコンパートメントにかかる荷重が１／５へ軽減されており、腱鞘炎予防効果はきわめて高い。なお、実験により、把手が仮に鞄の長手方向に概略水平に配されていても、その把手が鞄本体に対して自由に動ける構造、特に、把手を持った状態で鞄本体が利用者の歩行に応じて自由に前後できる構造であれば、前述のストレスをこの動きによって吸収できることもわかった。
【００２６】
図１は第１の実施の形態に係る鞄の斜視図、図２は側面図である。この鞄はいわゆる小物バッグであり、皮革製の鞄本体１０の上部に把手１４が設けられ、また鞄に内容物を出し入れするための開閉機構であるファスナー１５が取り付けられている。把手１４は金属製または樹脂製の心棒に十分な厚さをもつ皮革等を巻き付けて形成される。図１および図２において、鞄本体１０の手前側面には孔１８の穿設された皮革製その他の環状の補助材１２がボルト１６で取り付けられ、把手１４の手前側の端２０が孔１８に掛け止めされている。図１において、把手１４の遠い側の端は鞄本体１０に固定されている。
【００２７】
図３はこの鞄を図１と反対の方向から見た図である。同図において、手前側の側面には皮革製その他の把手固定材２２がボルト２４で固定され、この把手固定材２２が把手の手前端部付近を鞄本体１０に当接し固定している。把手１４は把手固定材２２から抜け落ちないよう、端部２６が少し大きく形成されている。ただし、把手固定材２２は軸通し部分に多少の遊びを有し、図中矢印のごとく、把手１４の軸部分の回転が可能になっている。
【００２８】
以上の構成において、まずユーザが鞄を持ち運ぶときには、図１乃至図３のごとく、把手１４の端２０を補助材１２の孔１８に掛ける。これにより、ユーザは把手１４を握って鞄をもつことができる。このとき、把手１４は鞄の長手方向に対して垂直方向であるから、手首にかかる負担は十分に少ない。
【００２９】
一方、鞄を開閉するときは、把手１４の端２０を孔１８から外し、把手１４の把手固定材２２を通る軸部分を回転させ、把手１４をファスナー１５の開閉の邪魔にならない位置へ移動させる。なお、ここでは把手１４を図中左右へ回転可能としたが、この方向ではなく、端２０を図１における上方へ回転可能に構成してもよい。その場合、把手固定材２２において固定される把手１４の端を球状にし、把手固定材２２を中空球状のベアリングとすればよい。
【００３０】
図４は把手１４の別の構造を示す。ここでは把手１４の端２０が外側に折れ返っており、その部分に補助材１２の孔１８が係止される。この構造だと、補助材１２の着脱は容易であるが、図２の構造と図４の構造はデザイン的な観点から選択されてもよい。
【００３１】
図５は把手１４にいわゆる指圧効果を持たせた例を示す。ここでは、小突起２８が下向きに設けられている。小突起２８は把手１４の面から数ミリせり出すよう位置決めされ、先端に丸みをつけた樹脂、木材、または金属製などであり、把手１４にネジ止めその他既知の手法で固定される。小突起２８は後述の第２の実施の形態以下に設けてもよい。
【００３２】
小突起２８の位置は、ユーザが把手１４を握ったとき、「労宮」と呼ばれるツボに当たるよう調整する。労宮は、中指と薬指の中央線上、手のひらの第２横紋と交わるところにあり、このツボを刺激すると、心臓に関する病気、いらいらや不眠、心労などの軽減に効果があるとされる。
【００３３】
なお、小突起２８の位置を固定せず、把手１４の下面にカーテンレール同様の溝を切り、その溝に遊びを少なくして小突起２８を嵌め込み、必要がないときは、小突起２８を溝に沿って把手１４の端方向へ移動可能な構造としてもよい。
【００３４】
以上が第１の実施の形態に係る鞄の構成と作用である。なお、図３では把手１４の縦軸部分が回転可能としたが、把手１４の心棒をなくして柔軟性を持たせれば、回転可能に構成しなくとも、把手固定材２２によって把手１４を完全に固定することができる。その場合、鞄の開閉の際、把手１４を適当な方向へ曲げればよい。
【００３５】
一方、把手１４の心棒が堅い場合でも、把手１４の途中のほぼ直角に曲がっている個所にヒンジ機構を設け、直角部分が直線状に延びる構成としてもよい。その場合、鞄の開閉の際、把手１４を延ばすことで開閉を邪魔しない構成にできる。なお、このような変形例は以下の実施の形態でも有用であり、それらの変形例を構成するものとする。
【００３６】
図６は第１の実施の形態の一部変形例である鞄の斜視図である。図１では補助材１２に把手１４を係止したのに対し、図６の鞄は、補助材１２の孔１８に膜２０２を張り、例えば皮革などで形成された柔軟性のある把手２００の一端がホック２０４で膜２０２に取り付けられる点において異なっている。膜２０２は、例えば皮革や布などで形成される。ホック２０４は、ドイツホックとも呼ばれるもので、上部を引くと係合が解かれ、上部を押し込むと係合する。把手２００の別の一端は、鞄本体１０の図示しない側の側面の上部に固定されている。把手２００は、鞄の長手方向に対して概略垂直であるため、手首にかかる負担は十分に少なく、また、鞄開閉時はホック２０４の係合をとけば、鞄の開閉にも支障がない。これにより、図１の把手１４は、補助材１２に係止され、鞄の運搬時に揺動する構造であったのに対し、図６の鞄では運搬時の把手２００の揺動がなくなるため、ユーザに図１の鞄とは違った把手２００の持ち具合を提供できる。また、膜２０２に鞄本体１０とは異なる素材・模様の皮革や布を用いることでデザイン性も高まる。なお、把手２００は例えば樹脂類や金属類など柔軟性のない素材で形成されていてもよく、その場合は、把手２００の屈曲のさせ方や配置を考慮する。
【００３７】
図７は、第２の実施の形態に係る鞄の斜視図である。この鞄はいわゆるボストンバッグであり、鞄本体１０が皮革で形成され、上から見るとＴ字またはＹ字の形状をした把手３０を有する。図中、把手３０の遠い側はふたつの端（以下「二遠端」という）を有し、これらが図示しない位置で鞄本体１０にビス等で固定されている。一方、把手３０の図中近い側はひとつの端３２（以下「一近端３２」という）で構成され、この一近端３２が鞄のこちら側の側面上部にて、ホック３４で取り付けられている。このホック３４は、ドイツホックである。把手３０のＴ字またはＹ字の分岐個所は、一近端３２よりも二遠端側に十分に近く形成され、したがって、ユーザが把手３０の中央を握ると、その部分は前記の分岐個所と一近端３２の間の部分となる。この部分は、鞄の長手方向に対してほぼ垂直に取り付けられている。
【００３８】
図８（ａ）（ｂ）は、把手３０により強度または硬度を持たせるためのホルダーである。図７では、把手３０は皮革によって形成したが、図８（ａ）のホルダーを利用する場合、そのＴ字の横棒部分４０にまず棒状の皮革を通過させ、つづいて、縦棒部分４２に別の棒状の皮革を差し込み、固定する。これで図８（ｂ）に示すごとく、把手３０のＴ字形状が実現できる。把手３０の３つの端部、または一近端は、それぞれ鞄本体１０の側面にビス固定またはホック等で着脱可能に固定する。３つの端部をホック等で着脱可能に固定した場合、把手３０自体が鞄本体１０から取り外し可能となるため、ユーザがあらかじめ用意された数種類の形状・デザインの把手３０から一つを選択し、把手３０を付け替えて鞄を利用できる。この場合、ユーザは鞄の用途や好みに応じて把手３０を選択できるため、利便性およびデザイン性が高い。
【００３９】
なお、図７の鞄は、図中こちら側の側面中央下部に、一近端３２と鞄本体１０をつなぎとめる、鍵の機能を持つ部材（図示せず）を有してもよい。把手３０全体を鞄本体１０に密着する状態にしたときの一近端３２の位置にその部材を設ければ、把手３０をコンパクトにまとめることができるため、鞄を収納する際有利である。さらに、鞄が不測に開いてしまうことやユーザ以外の第三者による開閉を防止するロック機能も実現される。
【００４０】
また、把手３０は、図９に示すごとく、上から見た場合に、Y字の分岐箇所の内側に当たる部分において、図中下方向に向かって通常のY字状よりも鋭角に切れ込む切込部３６を備えた、特殊な略Y字の形状を持っていてもよい。同図のごとく、切込部３６は図中下方向に向かうにつれ、より鋭角になっている。これにより、ユーザが把手３０を掴んで鞄を運搬する際、指の何本かをＹ字の内側に入れるような持ち方をしても、切込部３６付近に指を置けば指が自然に切込部３６の先端に向かって導入されていくため、把手３０を持ったときの指の密着度が高まり、違和感なく把手３０を掴むことが可能となる。
【００４１】
以上、第２の実施の形態でも、把手３０は鞄の長手方向に概略垂直であるため、第１の実施の形態同様の効果がある。また、一近端３２がホック３４等で取り外せるため、鞄の開閉に支障がない。
【００４２】
図１０は、第２の実施の形態の一部変形例である鞄の斜視図である。把手１００は、ユーザが直接つかむ部分となる、把手１００をとりまくグリップ１０２と、把手１００と鞄本体１０をつなぐための概略U字型の継手１０４、１０６を備える。継手１０４は、ホック１０８により、鞄本体１０の図中こちら側の側面上部に取り付けられている。このホック１０８は上述した図６のホック２０４同様、ドイツホックである。他方の継手１０６は鞄本体１０の図示しない側の側面上部にビス等で固定されており、別の例では、ホックで鞄本体１０に取り付けられていてもよい。
【００４３】
継手１０４、１０６は、鞄の長手方向に概略水平となるように鞄本体１０に取り付けられ、把手１００をそれらの継手に概略垂直となるように取り付ける。これにより、把手１００は鞄の長手方向に概略垂直となるため、第１の実施の形態同様の効果が得られる。また、継手１０４、１０６がホック１０８で取り外せるため、鞄の開閉に支障がない。
【００４４】
図１１は、第２の実施の形態の別の一部変形例である鞄の把手の斜視図である。ここでは、鞄の長手方向に対して概略垂直であるふたつの把手１１０、１１２がある距離をおいてほぼ平行に鞄本体１０に取り付けられている。それらふたつの把手１１０、１１２がグリップ１０２により束ねられ、上から見ると概略X字乃至H字の形状となっている。ふたつの把手１１０、１１２のそれぞれの一端は、鞄本体１０の図中こちら側の側面上部にホック１０８で取り付けられ、別の端はそれぞれ鞄本体１０の図示しない側においてビスまたはホック等によって側面上部に取り付けられている。
【００４５】
これにより、把手１１０、１１２が鞄の長手方向に概略垂直となるため、第１の実施の形態同様の効果が得られる。また、それぞれの把手１１０，１１２の一端がホック１０８で取り外せるため、鞄の開閉に支障がない。
【００４６】
図１２は、第２の実施の形態のさらに別の一部変形例である鞄の把手の斜視図である。図１２における図１１との相違点のみを述べる。図１２では、ふたつの把手１１０、１１２が図１１におけるそれらよりも狭い間隔で平行に取り付けられており、また、図１１においてグリップ１０２で両把手１１０、１１２が束ねられていたところ、図１２においては取り外し可能な巻き付けタイプのグリップ１１４により両者を束ねることができる。図１２における新たな効果は、いずれの把手１１０、１１２もホック１０８により取り外し可能であるため、２本の把手１１０、１１２のうちいずれか１本を取り外すことによって、鞄の内容物が軽いときには、１本の把手のみでこの鞄を運搬することができるというものである。したがって、ユーザの鞄の利用形態がさらに広がることになる。
【００４７】
図１３は、第２の実施の形態のさらに別の一部変形例である鞄の斜視図である。この鞄はそれぞれ鞄の長手方向と概略水平である把手１２０、１２２を備える。一方の把手１２０は鞄本体１０の図示しない側の側面上部に、他方の把手１２２は鞄本体１０の図中こちら側の側面上部にそれぞれホック１２４によって取り付けられている。一方の把手１２０は巻き付けグリップ１２６を備えている。図中、手前の把手１２２の左側の端を第１端、右側の端を第２端、奥の把手１２０の左側の端を第3端、右側の端を第４端と呼ぶこととする。ユーザが鞄を開閉する際は、同図に示すとおり、鞄本体１０の図示しない側の側面に奥の把手１２０の両端、図中こちら側の側面に手前の把手１２２の両端が取り付けられている状態のまま使用すれば、支障なく鞄を開閉できる。一方、ユーザが鞄を持ち運ぶ際には、後述するように、把手を鞄本体１０の長手方向に概略垂直とした状態で持ち運ぶことができる。
【００４８】
図１４は、図１３に示す鞄を持ち運ぶ際の把手の状態を示す。ユーザは図１３の鞄を持ち歩く際には、手前の把手１２２の第１端若しくは第２端のいずれか一方のホック１２４を取り外し、奥の把手１２０の第３端若しくは第４端のいずれか一方のホック１２４を取り外す。手前の把手１２２の取り外した端を、奥の把手１２０の取り外した端のホック１２４に取り付け、同様に奥の把手１２０の取り外した端を手前の把手１２２の取り外した端のホック１２４に取り付ける。その後、両方の把手１２０、１２２を巻き付けグリップ１２６で巻き合わせることにより、同図に示すように、把手を鞄の長手方向に概略垂直にして、鞄を持ち運ぶことができる。これにより、第１の実施の形態同様の効果が得られる。
【００４９】
なお、この際、ふたつの把手１２０、１２２の偶数端もしくは奇数端同士を付け替えると、把手は上から見るとX字の形状にクロスすることとなり、これが巻き付きグリップ１２６で巻き合わせられる。一方、奥の把手１２０の偶数端、手前の把手１２２の奇数端若しくはその逆の組み合わせでそれぞれの把手の端を付け替えると、両把手１２０，１２２は鞄の長手方向に対して概略垂直になる形で互いに平行となる。これを上から見るとH字の形状に、巻き付けグリップ１２６により巻き合わせることとなる。いずれの方法でも、把手１２０、１２２を鞄の長手方向とした状態で鞄を持ち運ぶことが可能となり、ユーザは、好みのデザインおよび好みの把手１２０、１２２の握り具合などに応じて、把手１２０、１２２の取り付け方を選択して鞄を利用することができる。図１５は、奥の把手１２０と手前の把手１２２をクロスするように付け替えた例における、把手を上から見た様子を示す。
【００５０】
図１３に戻って、この鞄は、さらに第２の把手１２８を、鞄本体１０の、長手方向から見た正面に有していてもよい。把手１２８は鞄本体１０に対して着脱可能な構成となっており、鞄の開閉時には把手１２８を取り外すことで開閉に支障はなくなる。この把手１２８により、第２の把手１２８の取り付けられている面を上にして鞄を持ち運ぶことができ、鞄の利用にバリエーションが加わる。この第２の把手１２８は、そのように持ち運ぶ場合の進行方向と概略垂直になるように取り付けられていればよく、このため、そのような持ち運び方をする場合にも第１の実施の形態と同様の効果が得られる。なお、第２の把手１２８は鞄本体１０に固定されていてもよく、その場合はファスナー等の開閉機構との位置関係に配慮して取り付ける。
【００５１】
図１６は第３の実施の形態に係る鞄の斜視図である。ここではいわゆるビジネスバッグを例示する。鞄本体１０の上部に皮革製の把手５０が固定的に橋渡しを形成するよう縫いつけられている。この鞄は、上部が長手方向に開閉するのではなく、図中のファスナーライン５２、５４、５６に沿って概略∩のような形に開く。この部分は、図中で手前方向に倒れるように鞄本体１０に谷折り部分５８が設けられている。なお、ファスナーラインは、左側のライン５２から中央のライン５４へ移行する代わりに、図１７（ａ）のごとく、左側のライン５２をそのまま鞄の裏側へ向けて形成した対称ライン５５へ続いていてもよく、その場合、この鞄は図１７（ｂ）に示すごとく、左側の約１／３の部分５７が左回転して開く。同図では右側の約１／３の部分も開閉可能に構成されているが、いずれか一方が開くだけでもよい。
【００５２】
ファスナーラインは、図１８のごとく、鞄本体１０の上面、長手方向からみた正面およびその背面の中央を通るように設けられていてもよい。この場合、ファスナーライン１３０は、原則として当該各面の中央を走るが、図示するように、鞄の長手方向に概略垂直に設けられた把手１３２、１３４がある箇所だけは、それらの把手１３２、１３４を避けるように、U字状に曲がっている。これにより、鞄の開閉に支障がなくなる。把手１３２、１３４は樹脂類や金属類などの所定の硬度をもつ部材で形成され、鞄本体１０の上面に接着されていればよい。なお、この例では把手は２本設けられているが、把手は１本であってもよい。
【００５３】
さらに別な例として、図１９のごとくファスナーライン１４０が、鞄本体１０の上面左上隅から始まり、鞄本体１０のこちら側の側面の上から約１／３の位置を略V字状に横切り、さらに上面右上隅にまで続いてもよい。この場合、鞄の上部約１／３が上向きに開くこととなる。この例では、把手１４４がグリップ１４２を備え、係止材１４８によって鞄本体１０に固着している固定部１４６に係止されている。他の例では、把手は上述した図１６の把手５０や図１８の把手１３２ような構成であってもよい。
【００５４】
以上、第３の実施の形態によれば、手に対する負担を軽減することができる。また、鞄の開閉機構が把手５０、１３２、１３４、１４４によって邪魔されない位置に設けられているため、操作性も確保されている。鞄全体のデザインも斬新なものとなる。
【００５５】
図２０は、第４の実施の形態に係る鞄の斜視図、図２１はその把手部分を上から見た図である。ここでは、いわゆるローラー付きのトラベルバッグを例示する。鞄本体１０の上部に上から見るとＴ字状の把手６０が設けられ、図２０において遠い側の２端、すなわち二遠端は図示しない個所で鞄本体１０に固定されている。一方、図２０において近い側のひとつの端６４、すなわち一近端６４は、鞄本体１０内部に貫入し、二個所の支持材６３にて上下摺動可能に支持されている。把手６０全体は鞄本体１０に対して上下に移動でき、その固定方法は既知のトラベルバッグ同様とする。
【００５６】
図２１のごとく、この把手６０はＴ字の横棒部分６６と、縦棒部分６８が組み合うことで形成される。鞄を開くときは、これらふたつの部分を外す。図２１では、これらふたつの部分が組み合わされたとき、両者をロックする錠機構６２が設けられている。鞄を開ける必要がないとき、たんにＴ字の横棒部分６６と縦棒部分６８を組み合わせるだけでなく、これらをロックすることにより、両者の不意の離脱を防ぐだけでなく、鞄に対する鍵としても機能する。
【００５７】
図２０の鞄はさらに、鞄を図中９０°左へ回転させた状態で、ローラーを利用せずに持ち運ぶ際に利用する第２の把手７０を有する。この把手７０は、鞄の長手方向に対し、垂直方向と水平方向の二方向において安定する支点機構７２によって鞄本体１０に固定されている。この支点機構７２は、把手７０と鞄本体１０を緊着せしめる方向に鞄内部でバネ付勢されており、ユーザがこの付勢力に抗して把手７０を引いたとき、前記の二方向の間で回動可能に支持されている。それら二方向については、把手７０の底部と鞄本体１０に設けた浅い溝状部が嵌合して位置決めされる。また、それら二方向においては、バネの付勢力だけでなく、例えば手でも回すことの可能なネジその他の補強部材で固着状態を強化できる構成としてもよい。
【００５８】
図２２は第４の実施の形態の一部変形例であり、Ｔ字の把手６０の一近端８０が鞄内部に没入せず、鞄外面の係止具８２に係止される構成としている。この場合、不要なときにはこの一近端８０を形成する部材を係止具８２から取り外してもよい。
【００５９】
以上、第４の実施の形態では、まずローラーを利用する場合にも、Ｔ字状の把手６０によって、やはり手に負担のかかりにくい運搬が可能である。また、ローラーを利用せずに鞄を持ち上げて運ぶ場合では、第２の把手７０を回転させることにより、やはり手に負担のかかりにくい運搬が実現する。
【００６０】
なお、図２０では第２の把手７０は把手自体の底面が広く鞄本体１０と接触する形式であったが、第２の把手７０は鞄本体１０と点接触をするものであってもよい。図２３は鞄本体と点接触し、鞄の長手方向と概略垂直および平行な方向の間で９０°回転可能な把手をもつ鞄を示す。同図では、９０°回転可能な把手１５０が、取付部１５２によって、鞄本体１０と点接触的に取り付けられている。取付部１５２は、前述した支点機構７２と同様な構成である。図２４（ａ）（ｂ）は、把手１５０が９０°回転する様子を示す。ユーザは好みに応じて把手１５０の向きを鞄の長手方向に対して、図２４（ａ）のごとく概略水平にも、図２４（ｂ）のごとく概略垂直にもすることができ、手に負担のかかりにくい運搬を所望する場合には、把手１５０を鞄の長手方向と概略垂直に切替えて鞄を持ち運べばよい。
【００６１】
図２５（ａ）は、第５の実施の形態に係る鞄の斜視図である。ここでは、ビジネス用のいわゆるアタッシュケースを例示する。鞄本体１０の上部に取付部１６０が設けられ、把手部１６２を鞄本体１０に取り付けている。把手部１６２は、第１連接材１６４、把手１６６、第２連接材１６８、第１支点機構１７０、第２支点機構１７２、第３支点機構１７４、第４支点機構１７６で構成されている。把手１６６は、鞄の長手方向と概略水平に設けられている。把手１６６、第１連接材１６４および第２連接材１６８は、人力で容易に変形しない程度の硬度をもっており、例えば樹脂類や金属類で形成される。
【００６２】
図２５（ｂ）は、把手部１６２の構造を示す。把手１６６は、第１支点機構１７０と第２支点機構１７２によりそれぞれ第１連接材１６４と第２連接材１６８と連接されている。第１連接材１６４は第３支点機構１７４により、第２連接材１６８は第４支点機構１７６により、それぞれ取付部１６０に連接されている。このため、ユーザが鞄を運搬する際は、第１連接材１６４、把手１６６、第２連接材１６８および取付部１６０の相対運動により、鞄本体１０がユーザの歩行に応じて前後に動く。これにより、把手１６６自体は鞄の長手方向と概略水平に設けられているものの、この鞄本体１０の前後動によりユーザの手首の一箇所にのみかかるストレスを吸収できるため、把手が完全に鞄本体に固定されている従来の鞄よりも相当程度手首への負担が軽減される。なお、支点機構は例えば蝶番や、球形軸と中空の球形ベアリングの組み合わせなどである。
【００６３】
図２６（ａ）は第５の実施の形態の一部変形例である鞄の把手の斜視図である。把手１９０は、鞄の長手方向に概略水平に、取付部１９２によって鞄本体１０に取り付けられる。図２６（ｂ）は、鞄の長手方向に対して概略垂直方向からみた取付部１９２の構造を示す断面図である。取付部１９２と把手１９０は軸受穴１９４の部分で連接されている。
【００６４】
これにより、把手１９０は軸受穴１９４を中心に回動することができる。したがって、ユーザが鞄を運搬する際は、鞄本体１０がユーザの歩行に応じて前後に動くことができため、把手１９０が鞄の長手方向と概略水平であるにもかかわらず、この動きによりユーザの手首の一箇所にのみかかるストレスが吸収され、手首の負担が軽減される。
【００６５】
図２７（ａ）は第５の実施の形態の別の一部変形例である鞄の把手の斜視図である。この例では把手１９０が、鞄の長手方向と概略垂直に取付部１９２によって鞄本体１０に取り付けられる。図２７（ｂ）は、鞄の長手方向に対して概略垂直方向からみた取付部１９２の構造を示す断面図である。把手１９０と取付部１９２を連接する軸受穴１９４の構成は図２６（ｂ）と同様である。この例では、把手を鞄の長手方向と概略垂直に設けたことにより、第１の実施の形態と同様に、手首の負担を軽減することができ、さらに、把手１９０が回動可能となっているため、歩行に合わせた鞄の前後動による手首への負担軽減効果も相乗的に得ることができる。
【００６６】
図２８は第５の実施の形態のさらに別の一部変形例である鞄の斜視図である。図２５（ａ）では、把手部１６２が鞄本体１０の上面中央に取り付けられていたが、この例では、二つの把手２１０、２１２がそれぞれ第１連接材２１４、第２連接材２１６を介して支点機構２１８により鞄本体１０の両側面に取り付けられている。支点機構２１８は鞄本体１０の両側面に、その側面の上辺から所定の距離の位置に固着される。図中手前の把手２１０は別の支点機構２２０により第１連接材２１４に連接され、第１連接材２１４がさらに、鞄本体１０の図中こちら側の側面上部に固着している支点機構２１８に連接されている。図中奥の把手２１２も、同様に別の支点機構２２２により第２連接材２１６に連接され、第２連接材がさらに、鞄本体１０の図示しない側の側面上部に固着している支点機構２１８に連接されている。本図の鞄本体１０は例えば皮革や布などで形成され、柔軟性があるので、鞄利用時に把手２１０、２１２の動きに応じて鞄本体１０が変形する。このため、ユーザが鞄を運搬する際には二つの把手２１０、２１２をまとめて掴むことが可能となる。ユーザが鞄を運搬する際には、把手２１０、２１２、第１連接材２１４および第２連接材２１６の相対運動により、鞄本体１０がユーザの歩行に合わせて前後に動くため、図２５（ａ）の鞄と同様の効果が得られる。なお、鞄本体１０は、金属類や樹脂類などで形成され、容易に変形しないものであってもよく、その場合は、二つの把手２１０、２１２が互いに近接するよう、第１連接材２１４、第２連接材２１６を屈曲させたり、それらを所定の傾斜をもって鞄本体１０に取り付けるようにしたりすればよい。
【００６７】
図２９は第６の実施の形態に係る鞄の斜視図である。ここではA４サイズの書類が縦に入れられる程度の大きさの皮革製の女性用バッグを例に取る。鞄本体１０には、把手３００が取り付けられる。把手３００の図中手前側の端は第１のリング３０２に取り付けられ、第１のリング３０２は鞄本体１０の図中手前側の側面の左上部に固定された第１の固定部材３０４を介して鞄本体１０に固定されている。図中奥側の側面の右上部においても同様に、把手３００の図中奥側の端が点線で示す第２のリング３０６および第２の固定部材３０８によって鞄本体１０に取り付けられている。
【００６８】
上述のように把手３００は、両端がそれぞれ図中手前側の側面の左上と図中奥側の側面の右上に取り付けられるので、把手３００を鞄の長手方向に対して一定の角度を有するよう配置することが可能となり、ここでは把手３００が鞄の長手方向に対して概略４５度の角度を有するよう、第１及び第２の固定部材の鞄本体１０への固定位置が設計上配慮される。即ち、把手３００は、図示するように、鞄の運搬方向である図中矢印方向に対し、この鞄を持ったユーザから見て、反時計回りに概略４５度の角度を有して鞄本体１０に取り付けられる。
【００６９】
人間が右手を自然に下ろした時、通常手の平は人体の真正面方向に対して上から見て反時計回りに一定の傾きを有しているが、把手３００が既述の通り図中矢印方向に対して、上から見て反時計回りに概略４５度の角度を有していることによって、右の手の平が有するこの傾きを維持したまま、ユーザは把手３００を把持できる。即ち、ユーザはより自然に把手３００を右手で把持できるため、ユーザにとって持ち易い鞄が実現できる。また、人間の腕の歩行時の前後動は、進行方向に対して完全に平行でなく、ある程度の角度を有しているが、鞄の長手方向に対して概略４５度の角度をもたせて把手３００を取り付ければ、運搬時の鞄の前後動も自然にこの人間の腕の前後動に沿った方向になるため、鞄本体の概略長手方向に水平に把手が取り付けられている従来型の鞄に比べ、前後動する鞄が体にぶつかるのを防止できるなど、鞄運搬時の自然な動作も実現できる。
【００７０】
さらに、把手３００が鞄の長手方向に対して所定の角度を有していることで、ユーザが把手３００を把持するのでなく、例えば把手３００を腕や肩に掛けて鞄を持つ場合に、従来型の鞄に比べ鞄本体１０の身体への密着性が高まる。従って、安定して鞄を保持できるとともに、例えば乗り物の車内などの狭い場所で他人の邪魔になるのを防ぐという効果も期待できる。この場合鞄本体１０が図示するように縦方向に細長ければ、ユーザの身体の幅から鞄本体１０がはみ出るのを防ぐ効果が高まるので、その様に成型されるのが好ましい。
【００７１】
この鞄は、上述のとおり主にユーザが右手で把持することを想定した右利きユーザ用の鞄である。これに対し、第１及び第２のリングと第１及び第２の固定部材をそれぞれ、鞄本体１０上部の図中左右逆の位置に設けて把手３００を鞄本体１０に取り付けると、把手３００が矢印方向に対して有する角度は時計回りに概略４５度となり、この場合は、左手での把持に適した左利きユーザ用の鞄が実現できる。このように、把手３００の取り付け方向を左右に振り分けることにより、例えば右利きユーザ用、左利きユーザ用にそれぞれ最適の鞄を提供可能になる。
なお、この場合の把手３００が鞄の長手方向に対して有する角度は好ましくは概略４５度であるが、これに限られず０度より大きく、９０度より小さいものであってもよい。
【００７２】
本実施の形態に係る鞄は、更に鞄本体１０の手前側の側面にポケット３１０を備えている。ポケット３１０は図示するように鞄本体１０の手前側の側面の大半を覆う皮革を鞄本体１０の側面に縫い付けて形成されている。第１の固定部材３０４は、鞄本体１０への縫い付け部分の一部がこのポケット３１０の内側に隠れるよう配置されている。これにより、単にポケット３１０に物が収納できるだけでなく、当該縫い付け部分が露出しなくなり、鞄運搬時に縫い付け部分がユーザの身体に引っかかるのを防止する効果が得られる。なお、図示するように把手３００の端部と第１の固定部材３０４及び第２の固定部材３０８の形状を独特の形に成型することにより、シンメトリーの面白さが強調され、デザイン上の効果が高まる。この鞄は更に開口部にファスナー３１２を備え、鞄本体１０と同質の皮革や、布などで形成されたファスナー延長材３１４が鞄本体１０の上面の図中右側の辺に連続して設けられている。このファスナー延長材３１４によって、ファスナー３１２は鞄本体１０の上面の長さよりも長く設けることができるので、鞄本体１０の開口をより大きくすることが可能となり、運搬物の出し入れが容易になる。
【００７３】
また、把手３００には第１のバックル機構３１６が設けられている。第１のバックル機構３１６は爪部と複数の穴からなり、爪部を通す穴の一つを選択して両者を係合させることで、ユーザは把手３００の長さを自己の好みに合わせて適宜調節できる。加えて、本実施の形態に係る鞄は鞄本体１０の図中手前側の側面の左辺に固定された保持部材３１８に通されて、鞄本体１０の周囲を取り巻くように配置される補助ベルト３２０を有している。この補助ベルト３２０は第２のバックル機構３２２を備えており、第１のバックル機構３１６の爪部と第２のバックル機構３２２の穴とを係合し、第１のバックル機構３１６の穴と第２のバックル機構３２２の爪部とを係合することで、把手３００と補助ベルト３２０をあわせて一本の長い把手が実現できる。これにより、ショルダーバックとして本実施の形態に係る鞄を利用可能となり、鞄の用途の自由度が高まる。この場合も、把手３００と補助ベルト３２０からなる一本の長い把手は鞄の長手方向に対して所定の角度を持つため、鞄の長手方向に水平に肩掛け用のベルトが設けられる従来型のショルダーバックよりも、身体への密着性が高まり、運搬時の鞄本体の安定性が確保できる効果がある。本実施の形態では好適な補助ベルト３２０の長さとして７５ｃｍ程度を想定しているが、長さはそれに限られるものではない。
【００７４】
また、本実施形態の鞄において、把手３００を第１のリング及び第２のリングを支点として図中右下方向に回転させて把手３００を、鞄の開閉の邪魔にならない場所即ち退避位置に移動させることができる。図３０は、把手３００を退避位置に移動させた状態を示す図である。以下、図２９に戻り、同図に基づいてこれを実現するための構成を述べる。
図２９において、点Aは、把手３００を退避位置に移動させたときの把手３００のリング３０２への取り付け位置を示す点である。点Bは鞄本体１０の上面手前右側の頂点である。点Cは鞄本体１０の上面奥右側の頂点である。点Dは、把手３００を退避位置に移動させたときの第２のリング３０６への取り付け位置を示す点である。
【００７５】
ここで、把手３００の長さは、第１のバックル機構３１６により一番短い長さに調整された場合でも、図中の一点鎖線ＡＢ、点ＢＣ間の直線距離及び一点鎖線ＣＤの長さを合計した長さ、即ち鞄本体１０の表面において、上面の図中右側の短辺の両頂点を通って第１のリング３０２と第２のリング３０６とを結んだ道のりの長さ、よりも若干長く設計されている。従って、把手３００は鞄本体の頂点である点ＢおよびＣに引っかかることなく退避位置に移動させることが可能となる。
本実施例では、最短に調整された場合の把手３００の長さと一点鎖線ＡＢ、点ＢＣ間の距離及び一点鎖線ＣＤの長さの合計の差はわずかであることを想定している。把手３００を長くしすぎないことによって、退避位置に移動させた場合に余計な遊びが生じず、把手３００が安定するためである。また、把手３００を手で把持してこの鞄を運搬する際に、把手３００は極端に長くないほうが好ましいためである。
なお、補助ベルト３２０を利用して、本実施の形態に係る鞄をショルダーバックとして利用できることは上述の通りであるが、別の例では、把手３００自体を比較的長めに形成し、ショルダーバック的な利用を実現してもよい。いずれにせよ、リングを支点とした回転移動により鞄の開閉動作を妨げないだけの長さを備えていれば良い。
また、既述のごとく本実施の形態の鞄は例えばＡ４サイズの書類を縦にそのまま入れられるようなサイズのものを想定しているが、サイズはそれに限られるものでなく、ユーザの嗜好に合わせ、多様なサイズおよび形状を有するものがあってよい。いずれにせよ、これら鞄本体１０の形状に関わらず、把手３００を上述の通りに構成すれば同様の効果を得られる。
【００７６】
本実施形態に係る鞄はさらに、運搬物の出し入れを容易にすべく、短手方向の側面においても工夫が施されている。以下にその詳細を述べる。
図３１は、図２９の鞄の鞄本体１０を同図の左上方向からみた部分拡大図であり、ファスナー３１２が開放された状態を示している。本図では、言及を要さない構成要素は省略されている。鞄本体１０の短手方向の側面である、図３１中手前の側面には、その左右両側に、鞄本体１０の内側に向かって、谷折に織り込まれた蛇腹部３２４が設けられている。これにより、鞄本体１０の開閉の自由度が増し大きく開口させることが可能となるため、運搬物の出し入れが容易になる。また、鞄本体１０の上面３２６は柔軟性のある皮革や、別の例では布などの素材で形成されている。さらにこの上面３２６は、鞄本体１０の長手方向の側面にのみ固定されており、短手方向の側面には接着されていない。このため、蛇腹部３２４は上面３２６から独立して動作可能であり、上面３２６が鞄本体１０を大きく開口させる妨げになることはない。また既述のごとく上面３２６が柔軟性のある素材で形成されているため、運搬物の出し入れの利便性も損なわれない。なお、図示しないが、鞄本体１０のもう一方の短手方向の側面も同様の構成となっている。
【００７７】
図３２（ａ）は、第７の実施の形態に係る鞄の斜視図である。鞄本体１０の図中手前側の側面上部にホック群が固定されている。具体的には、第１のホック４１０、第２のホック４１２、第３のホック４１４、第４のホック４１６、第５のホック４１８、第６のホック４２０、第７のホック４２２、第８のホック４２４である。
ここで、第１のホック４１０と第４のホック４１６、第２のホック４１２と第３のホック４１４、第５のホック４１８と第７のホック４２２、第６のホック４２０と第８のホック４２４の組み合わせは、それぞれ、鞄本体１０の図中手前側の側面において左右対称の位置となるように配置されている。
さらに、鞄本体１０の図中奥側の側面上部にも、これら第１から第８のホックの位置に対応する位置にそれぞれ図示しないホックが設けられている。
【００７８】
本実施形態における鞄の特徴は、ユーザが、これら鞄本体１０に設けられたホック群から任意のホックを選択し、これに、四つの端を有する把手４００の各端部に設けられたホックを咬合させて、自分にとって最も鞄を運搬しやすいように把手４００を鞄本体に取り付けることができる点にある。なお、把手４００には把持しやすいようにグリップ４０２が設けられている。
以下に、本実施の形態に係る鞄の把手４００の取り付け例を述べる。
【００７９】
図３２（ｂ）は、把手４００の四つの端を、第２のホック４１２、第３のホック４１４および鞄本体１０の図中奥側の側面においてそれぞれのホックに対応する位置に設けられたホックの、合計四つのホックに咬合させて把手４００を鞄本体１０に取り付けた様子を示す。これにより、把手４００は鞄の長手方向に対して概略垂直となる。
この場合、第１の実施の形態等と同様に鞄運搬時にユーザの手首にかかる負担を大幅に軽減することができる。
【００８０】
図３２（ｃ）は、把手４００を鞄の長手方向に対して概略４５度の角度を有するように鞄本体１０に取り付ける様子を示す。
この場合、把手４００の四端をそれぞれ、第５のホック４１８、第６のホック４２０、第７のホック４２２と鞄本体１０の図中奥側の側面において対応する位置にあるホックおよび第８のホック４２４と鞄本体１０の図中奥側の側面において対応する位置にあるホックとに咬合させて、把手４００を鞄本体１０に取り付ける。これらのホックの鞄本体１０への固定位置及び把手４００の長さは、取り付け時に把手４００が鞄の長手方向に対して概略４５度の角度を有するよう設計上配慮された関係を有している。これにより、第６の実施の形態で挙げたのと同様の効果を得られる。
【００８１】
ここでは、第５のホック４１８、第６のホック４２０、及び第７のホック４２２と第８のホック４２４にそれぞれ鞄本体１０の図中奥側の側面において対応する位置にある二つのホックを用いたが、組み合わせはこれに限られない。例えば、把手４００は、第１のホック４１０、第２のホック４１２、及び第３のホック４１４と第４のホック４１６にそれぞれ鞄本体１０の図中奥側の側面において対応する位置にある二つのホックとによって、鞄本体１０に取り付けられてもよい。この場合でも、把手４００は鞄本体１０の長手方向に対して、鞄の長手方向に概略水平に設けられる一般的な把手に比べ、より概略４５度に近い角度を有するため、自然な把持の実現が可能である。
【００８２】
さらに、本実施形態では鞄本体１０の片側の側面に８つのホックからなるホック群が設けられたが、ホックの数はこれに限られず、より多くのホックを設ければそれだけユーザが把手を取り付ける際の選択の幅が広がる。また、把手４００も必ずしも四つの端を有している必要はなく、本実施形態の鞄は、例えば二つの端を持つ把手を、ユーザが鞄の運搬がしやすいホック位置に選択的に取り付ける構造であっても良い。
【００８３】
以上、実施の形態を説明したが、これらは例示に過ぎず、変形例が存在し、それらも本発明に包含されることは当業者には理解されるところである。たとえば、実施の形態において、ボルトやビスで固定されるとした部分は、その他の手段、例えば接着剤などで固定されてもよい。また、把手や鞄本体の素材は皮革に限る必要はなく、布、ビニールなど、目的とする用途やデザインによって適宜選択すればよい。
【００８４】
図９では把手５０を鞄本体１０に固定したが、もちろん、これをファスナーその他の機構で取り外し可能としてもよい。その場合、把手５０のない小物ケースとしての利用もでき、デザインおよび用途が多様化する。
【００８５】
実施の形態では、小物バッグや旅行バックなどを例示したが、それぞれの例において、それらの鞄に限定する趣旨ではなく、実施の形態の各図の構成は、種々の鞄に適用可能である。
【００８６】
本発明によれば、手に負担のかかりにくい鞄を提供することができる。また、従来にないデザインの鞄を提供することができる。
【図面の簡単な説明】
【００８７】
【図１】第１の実施の形態に係る鞄の斜視図である。
【図２】第１の実施の形態に係る鞄の側面図である。
【図３】第１の実施の形態に係る鞄の背面図である。
【図４】図２の把手の一部変形例を示す図である。
【図５】図２の把手の一部変形例を示す別の図である。
【図６】図１の鞄の一部変形例を示す斜視図である。
【図７】第２の実施の形態に係る鞄の斜視図である。
【図８】図７の把手に用いるホルダーを示す図である。
【図９】図７の把手の一例を示す図である。
【図１０】図７の鞄の一部変形例を示す斜視図である。
【図１１】図７の鞄の別の一部変形例を示す斜視図である。
【図１２】図７の鞄のさらに別の一部変形例を示す斜視図である。
【図１３】図７の鞄のさらに別の一部変形例を示す斜視図である。
【図１４】図１３の把手の使用状態を示す斜視図である。
【図１５】図１３の把手の使用状態の一例を示す上面図である。
【図１６】第３の実施の形態に係る鞄の斜視図である。
【図１７】図１６の鞄を開いた様子を示す図である。
【図１８】図１６の鞄の一部変形例を示す斜視図である。
【図１９】図１６の鞄の別の一部変形例を示す斜視図である。
【図２０】第４の実施の形態に係る鞄の斜視図である。
【図２１】図２０の把手の上面図である。
【図２２】図２０の把手の一部変形例を示す図である。
【図２３】図２０の鞄の把手の一部変形例を示す斜視図である。
【図２４】図２３の把手の動作の様子を示す図である。
【図２５】図２５（ａ）は第５の実施の形態に係る鞄の斜視図であり、図２５（ｂ）は図２５（ａ）の鞄の把手の構造を示す図である。
【図２６】図２６（ａ）は図２５（ａ）の鞄の一部変形例を示す斜視図であり、図２６（ｂ）は図２６（ａ）の把手の構造を示す断面図である。
【図２７】図２７（ａ）は図２５（ａ）の鞄の別の一部変形例を示す斜視図であり、図２７（ｂ）は図２７（ａ）の把手の構造を示す断面図である。
【図２８】図２５（ａ）の鞄の別の一部変形例を示す斜視図である。
【図２９】第６の実施の形態に係る鞄の斜視図である。
【図３０】第６の実施の形態に係る鞄の使用例を示す図である。
【図３１】第６の実施の形態に係る鞄の部分拡大図である。
【図３２】図３２（ａ）は第７の実施の形態に係る鞄の斜視図であり、図３２（ｂ）および図３２（ｃ）は第７の実施の形態に係る鞄の使用例を示す図である。
【符号の説明】
【００８８】
１０  鞄本体、  １２  補助材、  １４，３０，５０，６０，７０，１００，１１０，１１２，１２０，１２２，１２４，１２８，１３２，１３４，１４４，１５０，１６６，１９０，２００，２１０，２１２，３００，４００  把手、  １８  孔、  ２０  把手の一端、  ２２  把手固定材、  ２８  小突起、  ３２  把手の一近端、  ３６  切込部、  ５２，５４，５５，５６，１３０，１４０  ファスナーのライン、  ６２  ロック機構、  １０２，１１４，１２６，１４２，４０２  グリップ、  １０４，１０６  継手、  １４６  固定部、  １４８  係止材、  １５２，１６０，１９２  取付部、  １６２  把手部、  １６４，１６８，２１４，２１６  連接材、  １７０，１７２，１７４，１７６，２１８，２２０，２２２  支点機構、  １９４  軸受穴、  ２０２  膜、  ３０２，３０６  リング、  ３０４，  ３０８  固定部材、  ３１０  ポケット、  ３１２  ファスナー、  ３１４  ファスナー延長材、  ３１６，３２２  バックル、  ３１８  保持部材、  ３２０  補助ベルト、  ３２４  蛇腹部、  ３２６  上面、  ４１０，４１２，４１４，４１６，４１８，４２０，４２２，４２４  ホック。
【図１】
2004261588.tif 000003
【図２】
2004261588.tif 000004
【図３】
2004261588.tif 000005
【図４】
2004261588.tif 000006
【図５】
2004261588.tif 000007
【図６】
2004261588.tif 000008
【図７】
2004261588.tif 000009
【図８】
2004261588.tif 000010
【図９】
2004261588.tif 000011
【図１０】
2004261588.tif 000012
【図１１】
2004261588.tif 000013
【図１２】
2004261588.tif 000014
【図１３】
2004261588.tif 000015
【図１４】
2004261588.tif 000016
【図１５】
2004261588.tif 000017
【図１６】
2004261588.tif 000018
【図１７】
2004261588.tif 000019
【図１８】
2004261588.tif 000020
【図１９】
2004261588.tif 000021
【図２０】
2004261588.tif 000022
【図２１】
2004261588.tif 000023
【図２２】
2004261588.tif 000024
【図２３】
2004261588.tif 000025
【図２４】
2004261588.tif 000026
【図２５】
2004261588.tif 000027
【図２６】
2004261588.tif 000028
【図２７】
2004261588.tif 000029
【図２８】
2004261588.tif 000030
【図２９】
2004261588.tif 000031
【図３０】
2004261588.tif 000032
【図３１】
2004261588.tif 000033
【図３２】
2004261588.tif 000034